(57)【要約】【課題】内部に埃が侵入しにくい構造の衛生用紙収納箱を提供する。【解決手段】衛生用紙収納箱１は、ロール状の衛生用紙９０を収納する紙製の箱であって、外側部材１０及び内側部材２０を備えている。外側部材１０は、衛生用紙収納箱１の主面Ｓ１を構成している。主面Ｓ１は、衛生用紙９０の取出口が形成される面である。内側部材２０は、外側部材１０の裏面に重なるように設けられており、外側部材１０と共に主面Ｓ１を構成している。外側部材１０は、折曲部１２を有している。折曲部１２は、主面Ｓ１の上方に折り曲げられることにより、取出口となる開口１４を外側部材１０に生じさせる。内側部材２０は、折曲部２２を有している。折曲部２２は、主面Ｓ１の上方に折り曲げられることにより、開口１４を通過して折曲部１２と向かい合わせになる。【選択図】図１
2018199529.tif 000002
【特許請求の範囲】
【請求項１】
ロール状の衛生用紙を収納する紙製の衛生用紙収納箱であって、
当該衛生用紙収納箱における前記衛生用紙の取出口が形成される面である主面を構成する外側部材と、
前記外側部材の裏面に重なるように設けられ、当該外側部材と共に前記主面を構成する内側部材と、を備え、
前記外側部材は、前記主面の上方に折り曲げられることにより前記取出口となる第１の開口を当該外側部材に生じさせる第１の折曲部を有し、
前記内側部材は、前記主面の上方に折り曲げられることにより前記第１の開口を通過して前記第１の折曲部と向かい合わせになる第２の折曲部を有することを特徴とする衛生用紙収納箱。
【請求項２】
請求項１に記載の衛生用紙収納箱において、
当該衛生用紙収納箱の使用時、前記第１の折曲部は、前記主面の斜め上方に折り曲げられた状態にある衛生用紙収納箱。
【請求項３】
請求項２に記載の衛生用紙収納箱において、
前記第１の折曲部は、前記主面の斜め上方に折り曲げられた状態で前記第２の折曲部に接する衛生用紙収納箱。
【請求項４】
請求項１乃至３の何れかに記載の衛生用紙収納箱において、
前記第１の折曲部と前記第１の開口とは、形状及び大きさが互いに等しい衛生用紙収納箱。
【請求項５】
請求項１乃至４の何れかに記載の衛生用紙収納箱において、
当該衛生用紙収納箱の使用時、前記第２の折曲部は、前記主面の斜め上方に折り曲げられた状態にある衛生用紙収納箱。
【請求項６】
請求項５に記載の衛生用紙収納箱において、
前記第２の折曲部は、前記主面の斜め上方に折り曲げられた状態で前記第１の折曲部に接する衛生用紙収納箱。
【請求項７】
請求項１乃至６の何れかに記載の衛生用紙収納箱において、
前記衛生用紙の中心軸に平行な方向を横方向としたとき、
前記第１及び第２の折曲部は、横長の形状をしている衛生用紙収納箱。
【請求項８】
請求項７に記載の衛生用紙収納箱において、
前記第１の折曲部の横方向の長さは、前記主面の横方向の長さの６０％以上８０％以下である衛生用紙収納箱。
【請求項９】
請求項７又は８に記載の衛生用紙収納箱において、
前記第２の折曲部の横方向の長さは、前記第１の折曲部の横方向の長さに等しい衛生用紙収納箱。
【請求項１０】
請求項７乃至９の何れかに記載の衛生用紙収納箱において、
前記第２の折曲部の縦方向の長さは、前記第１の折曲部の縦方向の長さよりも大きい衛生用紙収納箱。
【請求項１１】
請求項１０に記載の衛生用紙収納箱において、
前記第１及び第２の折曲部の縦方向の長さの差は、５ｍｍ以上１０ｍｍ以下である衛生用紙収納箱。
【請求項１２】
請求項７乃至１１の何れかに記載の衛生用紙収納箱において、
前記第１の折曲部の縦方向の長さは、７ｍｍ以上１５ｍｍ以下である衛生用紙収納箱。
【請求項１３】
請求項７乃至１２の何れかに記載の衛生用紙収納箱において、
前記第２の折曲部の縦方向の長さは、１２ｍｍ以上２５ｍｍ以下である衛生用紙収納箱。
【請求項１４】
請求項１乃至１３の何れかに記載の衛生用紙収納箱において、
前記第２の折曲部の先端辺は、複数の凸部を有する衛生用紙収納箱。
【請求項１５】
請求項１４に記載の衛生用紙収納箱において、
前記先端辺が有する前記複数の凸部は、先端が角張った凸部である角凸部を含む衛生用紙収納箱。
【請求項１６】
請求項１５に記載の衛生用紙収納箱において、
前記先端辺が有する前記複数の凸部は、先端が丸みを帯びた凸部である丸凸部を含む衛生用紙収納箱。
【請求項１７】
請求項１６に記載の衛生用紙収納箱において、
前記先端辺において最端に位置する前記凸部は、前記丸凸部である衛生用紙収納箱。
【請求項１８】
請求項１４乃至１７の何れかに記載の衛生用紙収納箱において、
前記先端辺において最端に位置する前記凸部は、当該先端辺において最端以外に位置する前記凸部よりも出っ張っている衛生用紙収納箱。
【請求項１９】
請求項１乃至１８の何れかに記載の衛生用紙収納箱において、
前記第２の折曲部の先端辺は、凹部を有し、
前記凹部は、当該凹部を通じて前記衛生用紙を摘めるように構成されている衛生用紙収納箱。
【請求項２０】
請求項１９に記載の衛生用紙収納箱において、
前記凹部は、前記先端辺の中央に設けられている衛生用紙収納箱。
【請求項２１】
請求項１乃至２０の何れかに記載の衛生用紙収納箱において、
前記第２の折曲部の折目は、平面視で、前記第１の開口の外側に存在する衛生用紙収納箱。
【請求項２２】
請求項１乃至２１の何れかに記載の衛生用紙収納箱において、
前記第２の折曲部は、前記主面の上方に折り曲げられることにより前記第１の開口に重なる第２の開口を前記内側部材に生じさせる衛生用紙収納箱。
【発明の詳細な説明】
【技術分野】
【０００１】
本発明は、ロール状の衛生用紙を収納する衛生用紙収納箱に関する。
【背景技術】
【０００２】
従来の衛生用紙収納箱としては、例えば特許文献１に記載されたものがある。同文献に記載された衛生用紙収納箱は、ロール状の衛生用紙（ロールペーパー）を収納する紙製の箱である。衛生用紙収納箱の１つの面には、使用時に衛生用紙を引き出すための開口（引き出し口）が設けられている。
【先行技術文献】
【特許文献】
【０００３】
【特許文献１】特開２０１５−２０８５０２号公報
【発明の概要】
【発明が解決しようとする課題】
【０００４】
上述の衛生用紙収納箱においては、開口を通じて衛生用紙の一端を引っ張ることにより、所望の長さの衛生用紙を引き出すことができる。しかしながら、開口が常に開放された状態にあるため、当該開口を通じて衛生用紙収納箱の内部に埃が侵入しやすいという問題がある。
【０００５】
本発明は、上記課題に鑑みてなされたものであり、内部に埃が侵入しにくい構造の衛生用紙収納箱を提供することを目的とする。
【課題を解決するための手段】
【０００６】
本発明による衛生用紙収納箱は、ロール状の衛生用紙を収納する紙製の衛生用紙収納箱であって、当該衛生用紙収納箱における上記衛生用紙の取出口が形成される面である主面を構成する外側部材と、上記外側部材の裏面に重なるように設けられ、当該外側部材と共に上記主面を構成する内側部材と、を備え、上記外側部材は、上記主面の上方に折り曲げられることにより上記取出口となる第１の開口を当該外側部材に生じさせる第１の折曲部を有し、上記内側部材は、上記主面の上方に折り曲げられることにより上記第１の開口を通過して上記第１の折曲部と向かい合わせになる第２の折曲部を有することを特徴とする。
【０００７】
この衛生用紙収納箱においては、取出口の形成面（主面）が、外側部材及び内側部材によって構成されている。外側部材及び内側部材には、それぞれ、主面の上方に折り曲げられる第１及び第２の折曲部が設けられている。第１の折曲部は、折り曲げられることにより、取出口となる第１の開口を外側部材に生じさせる。第２の折曲部は、折り曲げられることにより、第１の開口を通過して第１の折曲部と向かい合わせになる。このため、折り曲げられた第１及び第２の折曲部は、取出口（第１の開口）の上方において互いに向かい合わせとなる。これにより、かかる折曲部が存在しない場合に比して、取出口を通じて衛生用紙収納箱の内部に埃が侵入しにくくなる。
【発明の効果】
【０００８】
本発明によれば、内部に埃が侵入しにくい構造の衛生用紙収納箱が実現される。
【図面の簡単な説明】
【０００９】
【図１】本発明による衛生用紙収納箱の一実施形態を示す斜視図である。
【図２】図１のII−II線に沿った端面図である。
【図３】外側部材１０を示す平面図である。
【図４】内側部材２０を示す平面図である。
【図５】衛生用紙収納箱１から衛生用紙９０を引き出す様子を示す端面図である。
【図６】衛生用紙収納箱１の効果を説明するための平面図である。
【図７】図６のVII−VII線に沿った端面図である。
【図８】衛生用紙収納箱１の効果を説明するための端面図である。
【図９】一変形例に係る折曲部２２を示す平面図である。
【図１０】他の変形例に係る折曲部２２を示す平面図である。
【図１１】他の変形例に係る折曲部２２を示す平面図である。
【図１２】他の変形例に係る折曲部２２を示す平面図である。
【図１３】図１２の凹部６０の機能について説明するための平面図である。
【図１４】他の変形例に係る折曲部２２を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による衛生用紙収納箱の一実施形態を示す斜視図である。また、図２は、図１のII−II線に沿った端面図である。衛生用紙収納箱１は、ロール状の衛生用紙９０を収納する紙製の箱である。本実施形態において衛生用紙収納箱１は、全体が厚紙からなる。衛生用紙収納箱１は、直方体状をしている。
【００１２】
衛生用紙９０としては、例えば、ティッシュペーパー、トイレットペーパー、ペーパータオル等が挙げられる。ここで、ロール状の衛生用紙９０とは、帯状の衛生用紙９０がその短手方向に平行な軸周りに巻回されたものをいう。衛生用紙９０の中心部には、円筒状の芯が設けられていてもよいし、かかる芯が設けられていなくてもよい。
【００１３】
衛生用紙収納箱１は、外側部材１０及び内側部材２０を備えている。外側部材１０及び内側部材２０の各々は、１枚の厚紙からなる。外側部材１０は、衛生用紙収納箱１の主面Ｓ１を構成している。主面Ｓ１は、衛生用紙９０の取出口が形成される面である。衛生用紙収納箱１は、主面Ｓ１を上向きにして使用されてもよいし、主面Ｓ１を横向きにして使用されてもよい。
【００１４】
内側部材２０は、外側部材１０の裏面に重なるように設けられており、外側部材１０と共に主面Ｓ１を構成している。このように、主面Ｓ１は、外側部材１０及び内側部材２０からなる二重構造をしている。
【００１５】
図３は、外側部材１０を示す平面図である。外側部材１０は、折曲部１２（第１の折曲部）を有している。折曲部１２は、主面Ｓ１の上方に折り曲げられることにより、取出口となる開口１４（図１及び図２参照）を外側部材１０に生じさせる。折曲部１２と開口１４とは、形状及び大きさが互いに等しい。なお、図３は、折曲部１２が折り曲げられる前の状態を示している。
【００１６】
衛生用紙９０の中心軸に平行な方向を横方向（図３の上下方向）としたとき、折曲部１２は、横長の形状をしている。ここで、衛生用紙９０の中心軸とは、ロール状の衛生用紙９０を円柱又は円筒と見た場合における当該円柱又は円筒の中心軸に相当する仮想的な軸をいう。本実施形態において折曲部１２は、長方形状をしている。折曲部１２の横方向の長さｄ１は、主面Ｓ１の横方向の長さｄ２の６０％以上８０％以下であることが好ましい。折曲部１２の縦方向（図３の左右方向）の長さｄ３は、例えば、７ｍｍ以上１５ｍｍ以下である。
【００１７】
外側部材１０には、切込線として、ミシン目３２、ミシン目３４及びミシン目３６が形成されている。また、外側部材１０には、折り線３８（谷折線）が形成されている。これらのミシン目３２，３４，３６と折り線３８とで囲まれた部分が、折曲部１２である。ミシン目３２及び折り線３８は、横方向に延在する直線に沿って形成されている。ミシン目３４及びミシン目３６は、縦方向に延在する直線に沿って形成されている。ミシン目３４は、ミシン目３２の一端と折り線３８の一端とを結んでいる。ミシン目３６は、ミシン目３２の他端と折り線３８の他端とを結んでいる。
【００１８】
ミシン目３２，３４，３６に沿って外側部材１０に切目を入れることにより、折り線３８を折目として折曲部１２を主面Ｓ１の上方に折り曲げられるようになる。折り線３８には、当該折り線３８に沿って折曲部１２を折り曲げやすいように、折り筋が予め形成されていることが好ましい。ただし、折り線３８は、ユーザに折目となる位置を知らせるための、外側部材１０に印刷された線のみからなっていてもよい。
【００１９】
図４は、内側部材２０を示す平面図である。内側部材２０は、折曲部２２（第２の折曲部）を有している。折曲部２２は、主面Ｓ１の上方に折り曲げられることにより、開口１４に重なる開口２４（第２の開口）を内側部材２０に生じさせる。折曲部２２と開口２４とは、形状及び大きさが互いに等しい。また、折曲部２２は、主面Ｓ１の上方に折り曲げられることにより、開口１４を通過して折曲部１２と向かい合わせになる。ここで、折曲部１２と折曲部２２とが向かい合わせになるとは、折曲部１２の裏面と折曲部２２の裏面とが対向するということである。なお、図４は、折曲部２２が折り曲げられる前の状態を示している。
【００２０】
折曲部２２は、横長の形状をしている。本実施形態において折曲部２２は、長方形状をしている。折曲部２２の横方向の長さｄ４は、折曲部１２の横方向の長さｄ１に等しい。折曲部２２の縦方向の長さｄ５は、折曲部１２の縦方向の長さｄ３よりも大きい。折曲部１２及び折曲部２２の縦方向の長さの差（ｄ５−ｄ３）は、５ｍｍ以上１０ｍｍ以下であることが好ましい。折曲部２２の縦方向の長さｄ５は、例えば、１２ｍｍ以上２５ｍｍ以下である。  
【００２１】
内側部材２０には、切込線として、ミシン目４２、ミシン目４４及びミシン目４６が形成されている。また、内側部材２０には、、折り線４８（谷折線）が形成されている。これらのミシン目４２，４４，４６と折り線４８とで囲まれた部分が、折曲部２２である。ミシン目４２及び折り線４８は、横方向に延在する直線に沿って形成されている。ミシン目４４及びミシン目４６は、縦方向に延在する直線に沿って形成されている。ミシン目４４は、ミシン目４２の一端と折り線４８の一端とを結んでいる。ミシン目４６は、ミシン目４２の他端と折り線４８の他端とを結んでいる。
【００２２】
外側部材１０及び内側部材２０が重ね合わされた状態のとき、ミシン目４２は、平面視で、折り線３８よりも外側（図３及び図４の左側）に位置する。同様の状態のとき、ミシン目４４、ミシン目４６及び折り線４８は、平面視で、それぞれミシン目３４、ミシン目３６及びミシン目３２に略一致する。ただし、折り線４８は、平面視で、ミシン目３２よりも外側（図３及び図４の右側）に位置してもよい。その場合、折曲部１２，２２が折り曲げられた後、折曲部２２の折目は、平面視で、開口１４の外側に存在することになる。
【００２３】
ミシン目４２，４４，４６に沿って内側部材２０に切目を入れることにより、折り線４８を折目として折曲部２２を主面Ｓ１の上方に折り曲げられるようになる。折り線４８には、当該折り線４８に沿って折曲部２２を折り曲げやすいように、折り筋が予め形成されていることが好ましい。
【００２４】
図１及び図２に戻って、衛生用紙収納箱１は、折曲部１２及び折曲部２２が主面Ｓ１の上方に折り曲げられた状態で使用される。本実施形態においては、折曲部１２が折曲部２２に向かって主面Ｓ１の斜め上方に折り曲げられるとともに、折曲部２２が折曲部１２に向かって主面Ｓ１の斜め上方に折り曲げられる。すなわち、衛生用紙収納箱１の使用時、折曲部１２及び折曲部２２は、主面Ｓ１の斜め上方に折り曲げられた状態にある。折曲部１２及び折曲部２２は、主面Ｓ１の斜め上方に折り曲げられた状態（かつ折曲部１２と折曲部２２との間に衛生用紙９０が介在しない状態）で、互いに接することが好ましい。折曲部２２の先端を構成する辺である先端辺２２ａの主面Ｓ１からの高さｈ２（図２参照）は、折曲部１２の先端を構成する辺である先端辺１２ａの主面Ｓ１からの高さｈ１よりも大きい。
【００２５】
図５に示すように、取出口（開口１４）を通じて衛生用紙９０の一端を引っ張ることにより、所望の長さの衛生用紙９０を衛生用紙収納箱１から引き出すことができる。
【００２６】
衛生用紙収納箱１の効果を説明する。衛生用紙収納箱１においては、取出口の形成面（主面Ｓ１）が、外側部材１０及び内側部材２０によって構成されている。外側部材１０及び内側部材２０には、それぞれ、主面Ｓ１の上方に折り曲げられる折曲部１２及び折曲部２２が設けられている。折曲部１２は、折り曲げられることにより、取出口となる開口１４を外側部材１０に生じさせる。折曲部２２は、折り曲げられることにより、開口１４を通過して折曲部１２と向かい合わせになる。このため、折り曲げられた折曲部１２及び折曲部２２は、取出口（開口１４）の上方において互いに向かい合わせとなる。これにより、かかる折曲部が存在しない場合に比して、取出口を通じて衛生用紙収納箱１の内部に埃が侵入しにくくなる。したがって、内部に埃が侵入しにくい構造の衛生用紙収納箱１が実現されている。
【００２７】
また、折り曲げられた折曲部１２，２２が取出口の上方で互いに向かい合わせとなるため、取出口から引き出された衛生用紙９０が折曲部１２，２２によって保持され、衛生用紙収納箱１の中に落ち込みにくいという利点もある。
【００２８】
衛生用紙収納箱１の使用時、折曲部１２は、主面Ｓ１の斜め上方に折り曲げられた状態にある。この場合、平面視で、すなわち主面Ｓ１に垂直な方向から見たとき、折り曲げられた折曲部１２が取出口の一部に重なる。このため、折曲部１２が主面Ｓ１の垂直上方に折り曲げられた場合に比して、埃が一層侵入しにくくなる。
【００２９】
折曲部１２が主面Ｓ１の斜め上方に折り曲げられた状態で折曲部２２に接する場合、折曲部１２が折曲部２２から離間している場合に比して、埃の侵入経路が狭くなるため、埃が一層侵入しにくくなる。また、折曲部１２の衛生用紙９０に対する保持力を高めるのに有利である。
【００３０】
折曲部１２と開口１４とは、形状及び大きさが互いに等しい。この場合、切り抜き部分のない１枚の紙で外側部材１０を構成することができるため、外側部材１０の形成が容易となる。
【００３１】
衛生用紙収納箱１の使用時、折曲部２２は、主面Ｓ１の斜め上方に折り曲げられた状態にある。この場合、平面視で、折り曲げられた折曲部２２が取出口の少なくとも一部に重なる。このため、折曲部２２が主面Ｓ１の垂直上方に折り曲げられた場合に比して、埃が一層侵入しにくくなる。
【００３２】
折曲部２２が主面Ｓ１の斜め上方に折り曲げられた状態で折曲部１２に接する場合、折曲部２２が折曲部１２から離間している場合に比して、埃の侵入経路が狭くなるため、埃が一層侵入しにくくなる。また、折曲部２２の衛生用紙９０に対する保持力を高めるのに有利である。
【００３３】
主面Ｓ１は、外側部材１０及び内側部材２０からなる二重構造をしている。これにより、主面Ｓ１の強度を高めることができる。また、この場合、縦方向について、折曲部１２の長さｄ３と折曲部２２の長さｄ５との和を、開口１４の長さ（折曲部１２の長さｄ３に等しい。）よりも大きくすることができる。このことは、埃の侵入を防ぐのに有利である。
【００３４】
これに対し、主面Ｓ１が図６に示す１枚の厚紙１００のみからなる場合を考える。図７は、図６のVII−VII線に沿った端面図である。厚紙１００には、主面Ｓ１の上方に折り曲げられることにより互いに向かい合わせとなる折曲部１０２，１０４が設けられている。なお、図６は折曲部１０２，１０４が折り曲げられる前の状態を示し、図７は折曲部１０２，１０４が折り曲げられた後の状態を示している。折曲部１０２，１０４が折り曲げられることにより、厚紙１００に取出口となる開口１０６が生じる。このように主面Ｓ１を１枚の厚紙で構成した場合であっても、２つの折曲部１０２，１０４が取出口（開口１０６）の上方で互いに向かい合わせとなる構造を実現することが可能である。
【００３５】
しかしながら、この場合、縦方向（図６及び図７の左右方向）について、折曲部１０２の長さと折曲部１０４の長さとの和を、開口１０６の長さよりも大きくすることができないという問題がある。また、折曲部１０２，１０４を折り曲げると、両者の間には必ず隙間が生じることになる。そのため、折曲部１０２，１０４が折り曲げられた状態で両者が互いに接する構造を実現できないという問題もある。
【００３６】
折曲部１２及び折曲部２２は、横長の形状をしている。この場合、取出口の形状も横長になるため、衛生用紙９０を取り出しやすくなる。
【００３７】
折曲部１２の横方向の長さｄ１が大きすぎると、横方向について取出口から主面Ｓ１の端までの距離が小さくなり、主面Ｓ１の強度が不充分になるおそれがある。かかる観点から、長さｄ１は、主面Ｓ１の横方向の長さｄ２の８０％以下であることが好ましい。他方、長さｄ１が小さすぎると、取出口の横方向の長さも小さくなり、衛生用紙９０を取り出しにくくなるおそれがある。かかる観点から、長さｄ１は、長さｄ２の６０％以上であることが好ましい。
【００３８】
折曲部２２の横方向の長さｄ４は、折曲部１２の横方向の長さｄ１に等しい。この場合、横方向について取出口の全体に折曲部２２が延在することになるため、埃の侵入を防ぐのに有利である。ただし、長さｄ４を長さｄ１より僅かに（例えば０．１ｍｍ〜３ｍｍ程度）小さくしてもよい。そうすることにより、折曲部２２が開口１４を通過しやすくなる。
【００３９】
折曲部２２の縦方向の長さｄ５は、折曲部１２の縦方向の長さｄ３よりも大きい。この場合、折曲部１２，２２が折り曲げられた状態で、折曲部２２の先端辺２２ａの高さｈ２を、折曲部１２の先端辺１２ａの高さｈ１よりも大きくしやすくなる。このように高さｈ２を高さｈ１よりも大きくすることにより、図８に示すように、折曲部２２の先端辺２２ａの位置で衛生用紙９０を切断したときに、先端辺１２ａと先端辺２２ａとの間に衛生用紙９０を残すことができる。これにより、衛生用紙９０を再び引き出す際に、衛生用紙９０の一端を摘みやすくなる。
【００４０】
折曲部２２の折目が平面視で開口１４の外側に存在する場合、折曲部２２を折り曲げる際、折曲部２２に開口１４の縁が干渉する。このため、折曲部２２の折曲げ角度が大きくなりすぎるのを規制することができる。これにより、折曲部２２が主面Ｓ１の斜め上方に折り曲げられた状態を維持しやすくなる。かかる観点から、折曲部１２，２２が折り曲げられる前の状態における折り線４８とミシン目３２との平面視での間隔は、０．１ｍｍ〜０．５ｍｍ程度とすることが好ましい。
【００４１】
折曲部２２は、主面Ｓ１の上方に折り曲げられることにより、開口１４に重なる開口２４を内側部材２０に生じさせる。この場合、取出口の周囲全体を包囲するように内側部材２０が外側部材１０の裏面を覆うため、主面Ｓ１の強度を高めるのに有利である。
【００４２】
本発明は、上記実施形態に限定されるものではなく、様々な変形が可能である。上記実施形態においては、折曲部２２の先端辺２２ａが直線状をしている場合を例示した。しかし、先端辺２２ａは、図９に示すように、複数の凸部５０を有していてもよい。同図において、先端辺２２ａが有する複数の凸部５０は、先端が角張った凸部である角凸部と、先端が丸みを帯びた凸部である丸凸部とを含んでいる。先端辺２２ａにおいて最端に位置する凸部５０ａは、先端辺２２ａにおいて最端以外に位置する凸部５０ｂよりも出っ張っている。凸部５０ａは丸凸部であり、凸部５０ｂは角凸部である。なお、本例におけるように折曲部２２の縦方向の寸法が一定でない場合、当該寸法の最大値をもって折曲部２２の縦方向の長さｄ５とする。
【００４３】
このように本例においては、先端辺２２ａに複数の凸部５０が設けられている。これにより、折曲部２２の衛生用紙に対する保持力を強化することができる。複数の凸部５０は、角凸部を含んでいる。かかる角凸部を用いることにより、折曲部２２の先端辺２２ａで衛生用紙９０を切断しやすくなる。先端辺２２ａにおいて最端に位置する凸部５０ａは、最端以外に位置する凸部５０ｂよりも出っ張っている。丸凸部である凸部５０ａを出っ張らせることにより、ユーザ（特に子供）が角凸部である凸部５０ｂに触れて怪我をするリスクを低減することができる。
【００４４】
ただし、凸部５０ａを凸部５０ｂよりも出っ張らせることは、必須でない。すなわち、先端辺２２ａが有する全ての凸部５０の先端が揃っていてもよい。また、図１０に示すように先端辺２２ａが有する全ての凸部５０を角凸部としてもよいし、図１１に示すように先端辺２２ａが有する全ての凸部５０を丸凸部としてもよい。
【００４５】
上記実施形態において先端辺２２ａは、図１２に示すように、凹部６０を有していてもよい。同図において凹部６０は、凹部６０を通じて衛生用紙９０を摘めるように構成されている。すなわち、凹部６０は、図１３に示すように、衛生用紙９０における凹部６０に重なる部分（斜線部分）を２本の指（通常、親指と人差指）で摘むのに充分な大きさを有している。本例において凹部６０は、半円状をしている。また、凹部６０は、先端辺２２ａの中央に設けられている。なお、先端辺２２ａにおける凹部６０が設けられていない領域には、図１４に示すように、上述の凸部５０（角凸部及び／又は丸凸部）を設けてもよい。
【００４６】
このように本例においては、先端辺２２ａに凹部６０が設けられている。これにより、先端辺２２ａの位置で衛生用紙９０を切断した後、衛生用紙９０を再び引き出す際に、衛生用紙９０の一端を摘みやすくなる。凹部６０は、先端辺２２ａの中央に設けられている。これにより、凹部６０を通じて衛生用紙９０の中央付近を摘めるため、衛生用紙９０をバランスよく引き出すことができる。
【００４７】
上記実施形態においては、各切込線がミシン目（ミシン目３２，３４，３６，４２，４４，４６）である場合を例示した。すなわち、切込線の両側に力を加えたときに初めて当該切込線に沿って切目が入るように構成されている場合を例示した。しかし、切込線には、予め切目が入っていてもよい。
【符号の説明】
【００４８】
１  衛生用紙収納箱
１０  外側部材
１２  折曲部（第１の折曲部）
１２ａ  先端辺
１４  開口（第１の開口）
２０  内側部材
２２  折曲部（第２の折曲部）
２２ａ  先端辺
２４  開口（第２の開口）
３２  ミシン目
３４  ミシン目
３６  ミシン目
３８  折り線
４２  ミシン目
４４  ミシン目
４６  ミシン目
４８  折り線
５０  凸部
６０  凹部
９０  衛生用紙
【図１】
2018199529.tif 000003
【図２】
2018199529.tif 000004
【図３】
2018199529.tif 000005
【図４】
2018199529.tif 000006
【図５】
2018199529.tif 000007
【図６】
2018199529.tif 000008
【図７】
2018199529.tif 000009
【図８】
2018199529.tif 000010
【図９】
2018199529.tif 000011
【図１０】
2018199529.tif 000012
【図１１】
2018199529.tif 000013
【図１２】
2018199529.tif 000014
【図１３】
2018199529.tif 000015
【図１４】
2018199529.tif 000016